(57)【要約】【課題】本発明は、面積と消費電力の多い電圧検出器を用いないだけでなく、力率も向上したＬＥＤ駆動装置およびＬＥＤ駆動方法を開示する。【解決手段】ＬＥＤ駆動装置は、電源部と、ＬＥＤアレイと、電流経路選択回路とを備える。前記ＬＥＤアレイは、前記電源部に並列に接続され、直列に接続された複数のＬＥＤから構成されるＬＥＤチャネルＬＥＤ１〜ＬＥＤｎを含むＬＥＤストリングを少なくとも１つ備える。前記電流経路選択回路は、前記複数のＬＥＤチャネルの出力端子それぞれの電圧準位に応じて、前記複数のＬＥＤチャネルの出力端子から流れる電流の経路を選択する。【選択図】図３
2013098560.tif 000002
【特許請求の範囲】
【請求項１】
電源部に接続され、１つ以上のＬＥＤを含み、直列に接続された複数のＬＥＤチャネルと、
前記複数のＬＥＤチャネルの出力端子それぞれの電圧準位に応じて、前記ＬＥＤチャネルの出力端子から流れる電流の経路を選択する電流経路選択回路とを含み、
前記電流経路選択回路は、
第１制御信号に応答して、入力端子が前記電源部に接続された第１ＬＥＤチャネルＬＥＤ１の出力端子から接地に流れる電流を制御する第１電流源と、
第２制御信号に応答して、入力端子が前記第１ＬＥＤチャネルＬＥＤ１の出力端子に接続された第２ＬＥＤチャネルＬＥＤ２の出力端子から接地に流れる電流を制御する第２電流源と、
第ｎ−１（ｎは４以上の自然数）制御信号に応答して、入力端子が第ｎ−２ＬＥＤチャネルＬＥＤｎ−２の出力端子に接続された第ｎ−１ＬＥＤチャネルＬＥＤｎ−１の出力端子から接地に流れる電流を制御する第（ｎ−１）電流源と、
入力端子が前記第ｎ−１ＬＥＤチャネルＬＥＤｎ−１の出力端子に接続された第ｎＬＥＤチャネルＬＥＤｎの出力端子から接地に流れる電流の経路を提供する第ｎ電流源と、
前記第２ＬＥＤチャネルＬＥＤ２の出力端子の電圧準位と所定の基準電圧とを比較し、前記第１制御信号を生成する第１制御信号生成器と、
第３ＬＥＤチャネルＬＥＤ３の出力端子の電圧準位と前記基準電圧とを比較し、前記第２制御信号を生成する第２制御信号生成器と、
前記第ｎＬＥＤチャネルＬＥＤｎの出力端子の電圧準位と前記基準電圧とを比較し、前記第（ｎ−１）制御信号を生成する第（ｎ−１）制御信号生成器とを含むことを特徴とするＬＥＤ駆動装置。
【請求項２】
前記複数の電流源それぞれに流れる電流量は、
前記電源部から遠く離れたＬＥＤチャネルの出力端子に接続されるほど相対的に増加することを特徴とする請求項１記載のＬＥＤ駆動装置。
【請求項３】
前記制御信号生成器それぞれは、
１つの入力端子が当該ＬＥＤチャネルの出力端子に接続され、他の１つの入力端子が基準電圧に接続され、出力端子に当該制御信号を生成する比較器であることを特徴とする請求項１記載のＬＥＤ駆動装置。
【請求項４】
前記電流経路選択回路は、
前記基準電圧を前記複数の比較器それぞれに供給する基準電圧源をさらに備えることを特徴とする請求項３記載のＬＥＤ駆動装置。
【請求項５】
前記電源部は、
ＡＣ電源と、
前記ＡＣ電源から出力される正弦波状の電圧を整流し、前記複数のＬＥＤチャネルに供給する整流回路とを備えることを特徴とする請求項１記載のＬＥＤ駆動装置。
【請求項６】
１つ以上のＬＥＤを含み、直列に接続されたｎ（ｎは複数の自然数）個のＬＥＤチャネルを駆動するＬＥＤ駆動装置であって、
前記各ＬＥＤチャネルに対応して前記各ＬＥＤチャネルの出力端に一端が接続され、接地に他端が接続され、制御信号に応答して、前記各ＬＥＤチャネルから前記接地に流れる電流の流れを断続するｎ個の電流源と、
第ｎＬＥＤチャネルの出力電圧と基準電圧とを比較し、前記第ｎＬＥＤチャネルの出力電圧が前記基準電圧より大きければ前記制御信号を活性化し、第ｎ−１電流源に提供するｎ−１個の比較器とを含むことを特徴とするＬＥＤ駆動装置。
【請求項７】
前記基準電圧を提供する基準電圧源をさらに含むことを特徴とする請求項６記載のＬＥＤ駆動装置。
【請求項８】
前記各ＬＥＤチャネルに印加される電圧は、交流電圧を整流した電圧であることを特徴とする請求項６記載のＬＥＤ駆動装置。
【請求項９】
第ｎ電流源は、第ｎ−１電流源より多い電流が流れることを特徴とする請求項６記載のＬＥＤ駆動装置。
【発明の詳細な説明】
【技術分野】
【０００１】
本発明は、ＬＥＤに電源を供給する駆動装置および駆動方法に関する。
【背景技術】
【０００２】
図１は、従来のＬＥＤ駆動装置の回路図である。
【０００３】
図１を参照すれば、従来のＬＥＤ駆動装置１００は、電源Ｖｓと、電流スイッチング回路１０と、電圧検出器２０と、整流回路３０とを備える。
【０００４】
電源Ｖｓは、一定の周波数を有するＡＣであり、整流回路３０は、電源Ｖｓから出力されるＡＣを整流する。電流スイッチング回路１０は、直列に接続された複数の発光ダイオード（Ｌｉｇｈｔ  Ｅｍｉｔｔｉｎｇ  Ｄｉｏｄｅ（発光ダイオード）、以下、ＬＥＤという。；Ｄ１〜Ｄｋ、ｋは自然数）と、それぞれのＬＥＤの出力端子から流れる電流の経路を決定する複数の電流源Ｉ１〜Ｉｋとを備える。電圧検出器２０は、整流回路３０から出力される電圧の準位をモニタし、モニタされた電圧の準位に応じて、複数の電流源Ｉ１〜Ｉｋの中から選択された１つの電流源のみを動作させる。
【０００５】
仮に、整流回路３０から出力される電圧が第１ＬＥＤ（Ｄ１）をターンオン（Ｔｕｒｎ  Ｏｎ）できる程度の電圧準位を有する場合には、第１電流源Ｉ１のみを選択して動作させる。この場合、電源Ｖｓおよび整流回路３０を経た電流ＩＬＥＤ１は、第１ＬＥＤ（Ｄ１）および第１電流源Ｉ１を経て接地ＧＮＤに流れる。
【０００６】
次に、整流回路３０から出力される電圧が、第１ＬＥＤ（Ｄ１）だけでなく、第２ＬＥＤ（Ｄ２）もターンオンできる程度の電圧準位に上昇すると、第１電流源Ｉ１の動作は停止させ、第２電流源Ｉ２のみを選択して動作させる。この場合、電源Ｖｓおよび整流回路３０を経た電流ＩＬＥＤ１は、第１ＬＥＤ（Ｄ１）、第２ＬＥＤ（Ｄ２）および第２電流源Ｉ２を経て接地ＧＮＤに流れる。
【０００７】
続いて、整流回路３０から出力される電圧が、複数のＬＥＤ（Ｄ１〜Ｄｋ）のすべてをターンオンできる程度の電圧準位に上昇すると、第ｋ電流源Ｉｋのみ正常に動作し、残りの電流源Ｉ１〜Ｉ（ｋ−１）の動作は停止する。この場合、電源Ｖｓおよび整流回路３０を経た電流ＩＬＥＤ１は、第１ＬＥＤ（Ｄ１）、第２ＬＥＤ（Ｄ２）〜第ｋＬＥＤ（Ｄｋ）および第ｋ電流源Ｉｋを経て接地ＧＮＤに流れる。
【先行技術文献】
【特許文献】
【０００８】
【特許文献１】特開２００７−１７３８１３号公報
【発明の概要】
【発明が解決しようとする課題】
【０００９】
逆に、整流回路３０から出力される電圧が減少すると、前記とは反対方向に電流源およびＬＥＤがターンオフされる。
【００１０】
図１に示された従来のＬＥＤ駆動回路の場合、整流回路３０から出力される電圧の準位を直接検出する電圧検出器２０が必要になり、電圧検出器２０は多様な方式で実現できるが、いずれの場合でも、駆動装置１００に占める面積および消費電力が無視できない程度に大きいという問題がある。
【００１１】
図２は、従来のＬＥＤ駆動装置の動作特性を示す。
【００１２】
図２を参照すれば、電源Ｖｓが整流され、電流スイッチング回路１０を構成するＬＥＤストリングＤ１〜Ｄｋに供給される電圧Ｖａｃが放物線状に増加または減少する場合、電流スイッチング回路１０を構成するＬＥＤストリングＤ１〜Ｄｋに降下する電圧ＶＬＥＤ１も、整流された電圧Ｖａｃの電圧準位が変化するにつれて増加または減少する。
【００１３】
しかし、電源Ｖｓが整流され、電流スイッチング回路１０を構成するＬＥＤストリングＤ１〜Ｄｋに供給される電圧Ｖａｃが放物線状に増加または減少するにもかかわらず、電流スイッチング回路１０を構成するＬＥＤストリングＤ１〜Ｄｋに流れる電流ＩＬＥＤ１の大きさは限定される。これは、従来のＬＥＤ駆動装置１００を構成する複数の電流源Ｉ１〜Ｉｋの電気的特性、すなわち、電流量は同一であるからである。
【００１４】
このような理由から、従来のＬＥＤ駆動装置の力率（ｐｏｗｅｒ  ｆａｃｔｏｒ）は低いという問題がある。
【００１５】
図２に示された１Ｖｔｈは、第１ＬＥＤ（Ｄ１）をターンオンさせる閾値電圧（Ｔｈｒｅｓｈｏｌｄ  Ｖｏｌｔａｇｅ）を意味し、２Ｖｔｈは、第１ＬＥＤ（Ｄ１）および第２ＬＥＤ（Ｄ２）をすべてターンオンできる閾値電圧を意味する。したがって、５Ｖｔｈは、直列に接続された５個のＬＥＤをすべてターンオンできる閾値電圧を意味する。
【００１６】
図２は、説明の便宜のために、合わせて５個のＬＥＤが直列に接続されている場合に対する動作特性を示した。
【００１７】
本発明が解決しようとする技術的課題は、面積と消費電力の多い電圧検出器を用いないだけでなく、力率も向上したＬＥＤ駆動装置を提供することである。
【００１８】
本発明が解決しようとする他の技術的課題は、面積と消費電力の多い電圧検出器を用いないだけでなく、力率も向上したＬＥＤ駆動方法を提供することである。
【課題を解決するための手段】
【００１９】
上記の技術的課題を達成するための、本発明の一実施形態にかかるＬＥＤ駆動装置は、電源部と、ＬＥＤアレイと、電流経路選択回路とを備える。前記ＬＥＤアレイは、前記電源部に並列に接続され、直列に接続された複数のＬＥＤから構成されるＬＥＤチャネルＬＥＤ１〜ＬＥＤｎを含むＬＥＤストリングを少なくとも１つ備える。前記電流経路選択回路は、前記複数のＬＥＤチャネルの出力端子それぞれの電圧準位に応じて、前記複数のＬＥＤチャネルの出力端子から流れる電流の経路を選択する。
【００２０】
前記他の技術的課題を達成するための、本発明の一実施形態にかかるＬＥＤ駆動方法は、本発明の一実施形態にかかるＬＥＤ駆動装置を駆動する方法に関するもので、電流源初期化ステップと、電流源選択ステップとを含む。前記電流源初期化ステップでは、複数のＬＥＤチャネルの出力端子と接地との間にそれぞれ接続された複数の電流源がすべて正常動作するようにする。前記電流源選択ステップは、直列に接続された前記複数のＬＥＤチャネルのうち、任意の先行ＬＥＤチャネルの出力端子に接続された後続のＬＥＤチャネルがターンオンされる場合、前記先行ＬＥＤチャネルの出力端子および前記後続のＬＥＤチャネルの入力端子に共通に接続された電流源の動作を停止させる。
【発明の効果】
【００２１】
本発明の一実施形態にかかるＬＥＤ駆動装置は、簡単で新しいアルゴリズムでＬＥＤを駆動するため、消費電力が少なく、駆動装置が全体のシステムに占める面積が少ないだけでなく、力率も高く、電力効率も向上するという利点がある。
【図面の簡単な説明】
【００２２】
【図１】従来のＬＥＤ駆動装置の回路図である。
【図２】従来のＬＥＤ駆動装置の動作特性を示す。
【図３】本発明にかかるＬＥＤ駆動装置の回路図である。
【図４】本発明にかかるＬＥＤ駆動装置の動作特性を示す。
【発明を実施するための形態】
【００２３】
本発明と本発明の動作上の利点および本発明の実施によって達成される目的を十分に理解するためには、本発明の例示的な実施形態を説明する添付図面および添付図面に記載された内容を参照しなければならない。
【００２４】
以下、添付した図面を参照して、本発明の好ましい実施形態を説明することにより、本発明を詳細に説明する。各図面に提示された同一の参照符号は同一の部材を表す。
【００２５】
図３は、本発明にかかるＬＥＤ駆動装置の回路図である。
【００２６】
図３を参照すれば、本発明の一実施形態にかかるＬＥＤ駆動装置３００は、電源部３１０と、ＬＥＤアレイ３２０と、電流経路選択回路３３０とから構成される。
【００２７】
電源部３１０は、電源３１１と、整流回路３１２とを含む。電源３１１は、ＡＣ電圧源を意味する。整流回路３１２は、ＡＣ電圧源である電源３１１の電圧を整流し、正の電圧準位を有する端子はＬＥＤアレイ３２０の第１ＬＥＤチャネルＬＥＤ１の入力端子に接続され、負の電圧準位または０（ｚｅｒｏ）の電圧準位を有する端子は第ｎＬＥＤチャネルＬＥＤｎの出力端子に接続されるが、説明の便宜のために接地ＧＮＤと表現する。
【００２８】
ＬＥＤアレイ３２０は、電源部３１０に接続され、直列に接続された複数のＬＥＤから構成されるＬＥＤチャネルＬＥＤ１〜ＬＥＤｎを含むＬＥＤストリングを備える。図３には、１つのストリングのみを示したが、実際の場合、複数のストリングが並列に接続されている構造が可能である。
【００２９】
電流経路選択回路３３０は、ＬＥＤチャネルＬＥＤ１〜ＬＥＤｎの出力端子それぞれの電圧準位に応じて、ＬＥＤチャネルＬＥＤ１〜ＬＥＤｎ−１の出力端子それぞれから流れる電流経路を選択する。前記機能を果たすための電流経路選択回路３３０は、ＬＥＤチャネルＬＥＤ１〜ＬＥＤｎ−１の出力端子それぞれの電圧準位に応じて、ＬＥＤチャネルＬＥＤ１〜ＬＥＤｎ−１の出力端子それぞれから流れる電流の流れを断続する複数の電流源Ｉ１〜Ｉｎと、電流源Ｉ１〜Ｉｎ−１の動作を決定する制御信号Ｃ１〜Ｃ（ｎ−１）をそれぞれ生成する複数の制御信号生成器ＣＯＭ１〜ＣＯＭ（ｎ−１）とを含む。ここで、ｎは複数の自然数である。
【００３０】
第１電流源Ｉ１は、第１制御信号Ｃ１に応答して、第１ＬＥＤチャネルＬＥＤ１の出力端子から接地ＧＮＤに流れる電流経路を提供し、電流の流れを制御する。第２電流源Ｉ２は、第２制御信号Ｃ２に応答して、第２ＬＥＤチャネルＬＥＤ２の出力端子から接地に流れる電流経路を提供し、第１電流源Ｉ１より増加した電流が流れ得るように電流の流れを制御する。これを一般化すると、ｎを自然数とする時、第ｎ−１電流源Ｉｎ−１は、第ｎ−１制御信号Ｃｎ−１に応答して、第ｎＬＥＤチャネルＬＥＤｎの出力端子から接地に流れる電流経路を提供し、電流の流れを制御する。本実施形態において、電流源は、制御信号が活性化されるとオフになり、電流の流れを遮断することを例示するが、本発明は、これに限定されず、例えば、電流源は、制御信号が非活性化されるとオフになり、電流の流れを遮断するものとして構成することもできる。
【００３１】
第１制御信号生成器ＣＯＭ１は、第２ＬＥＤチャネルＬＥＤ２の出力端子の電圧準位と所定の基準電圧ＶＲＥＦとを比較し、第１制御信号Ｃ１を生成する。第２制御信号生成器ＣＯＭ２は、第３ＬＥＤチャネルＬＥＤ３の出力端子の電圧準位と基準電圧ＶＲＥＦとを比較し、前記第２制御信号Ｃ２を生成する。これを一般化すると、第（ｎ−１）制御信号生成器ＣＯＭ（ｎ−１）は、第ｎＬＥＤチャネルＬＥＤｎの出力端子の電圧準位と基準電圧ＶＲＥＦとを比較し、第（ｎ−１）制御信号Ｃ（ｎ−１）を生成する。
【００３２】
本発明では、力率を向上させるために、複数の電流源Ｉ１〜Ｉｎそれぞれに流れる電流量を可変させることを提案する。すなわち、電流源に流れ得る電流量を、電源部３１０から遠く離れたＬＥＤチャネルの出力端子に接続されるほど増加させるものである。
【００３３】
ここで、複数の制御信号生成器ＣＯＭ１〜ＣＯＭ（ｎ−１）それぞれは、１つの入力端子（−）が当該ＬＥＤチャネルの出力端子に接続され、他の１つの入力端子（＋）が基準電圧ＶＲＥＦに接続され、出力端子に当該制御信号Ｃ１〜Ｃ（ｎ−１）を生成する比較器（ｃｏｍｐａｒａｔｏｒ）で実現することができる。
【００３４】
基準電圧ＶＲＥＦは、ＬＥＤ駆動装置３００の外部から印加する方式も可能であるが、基準電圧源をさらに備える実施形態も可能である。同一の条件で生成されたＬＥＤの電気的特性にも一定の偏差があるため、基準電圧ＶＲＥＦの電圧準位は、使用されるＬＥＤチャネルの電気的特性によって決定されなければならない。
【００３５】
以下では、本発明の実施形態にかかるＬＥＤ駆動装置３００の動作について説明する。
【００３６】
まず、複数の電流源Ｉ１〜Ｉｎは、初期にはすべてオン（ｏｎ）になり、電流が流れ得る状態に設定される。これは、本発明の一実施形態によりＬＥＤ駆動装置３００を動作させるためである。本実施形態において、電源部３１０から出力される電圧ＶＡＣの電圧準位は、一定の傾向を有して上昇または下降する電圧、例えば、交流電圧を整流した電圧の場合を例示して説明する。
【００３７】
電源部３１０から出力される電圧ＶＡＣの電圧準位が、第１ＬＥＤチャネルＬＥＤ１をターンオンできる程度であるが、第２ＬＥＤチャネルＬＥＤ２はターンオンできない程度の場合、第１ＬＥＤチャネルＬＥＤ１はターンオンされるが、この時、第１電流源Ｉ１は電流が流れ得る状態であるため、電源３１１および整流回路３１２を経た電流ＩＬＥＤ２は、第１ＬＥＤチャネルＬＥＤ１および第１電流源Ｉ１を経て接地ＧＮＤに流れる。この時、残りの電流源Ｉ２〜Ｉｎは、電流が流れ得る状態であるとしても、電流源Ｉ２〜Ｉｎそれぞれに接続されたＬＥＤチャネルＬＥＤ２〜ＬＥＤｎがターンオフされている状態であるため、残りの電流源Ｉ２〜Ｉｎを経由して接地ＧＮＤに流れる電流はなくなる。
【００３８】
次に、電源部３１０から出力される電圧ＶＡＣの電圧準位が、第１ＬＥＤチャネルＬＥＤ１および第２ＬＥＤチャネルＬＥＤ２をターンオンできる程度であるが、第３ＬＥＤチャネルＬＥＤ３はターンオンできない程度の場合、第１ＬＥＤチャネルＬＥＤ１および第２ＬＥＤチャネルＬＥＤ２が同時にターンオンされる。第２ＬＥＤチャネルＬＥＤ２がターンオンされる瞬間、第２ＬＥＤチャネルＬＥＤ２の出力端子の電圧準位は上昇する。この時、第１制御信号生成器ＣＯＭ１は、第２ＬＥＤチャネルＬＥＤ２の出力端子の電圧準位と基準電圧ＶＲＥＦを用いて第２ＬＥＤチャネルＬＥＤ２の出力端子の電圧準位に変動がある場合、第１制御信号Ｃ１を活性化する。活性化された第１制御信号Ｃ１は、第１電流源Ｉ１をオフにして電流の流れを中止させるため、電源３１１および整流回路３１２を経た電流ＩＬＥＤ２は、第１ＬＥＤチャネルＬＥＤ１、第２ＬＥＤチャネルＬＥＤ２および第２電流源Ｉ２を経て接地ＧＮＤに流れるようになる。
【００３９】
本発明の実施形態にかかるＬＥＤ駆動装置３００において、直列に接続された複数のＬＥＤチャネルのうち、任意の先行ＬＥＤチャネルの出力端子に接続された電流源は、後続のＬＥＤチャネルがターンオンされるとオフになり、電流の流れを中止させ、後続のＬＥＤチャネルの出力端子に接続された電流源は、先行ＬＥＤチャネルおよび後続のＬＥＤチャネルとともに電流経路を形成し、電流が接地に流れるようにする。後続のＬＥＤチャネルの出力端子に接続された電流源は、先行ＬＥＤチャネルの出力端子に接続された電流源よりも流れる電流量がより大きくなるように制御される。そのため、先行ＬＥＤチャネルと後続のＬＥＤチャネルをターンオンさせるだけ供給電圧ＶＡＣの大きさが大きくなることに対応して電流量も順次に増加することができる。
【００４０】
直列に接続された複数のＬＥＤチャネルは、整流電圧ＶＡＣの電圧準位が増加するにつれて順次にターンオンされる。逆に、電圧ＶＡＣの電圧準位が減少すると、複数のＬＥＤチャネルがターンオンされていた手順とは反対の手順でＬＥＤチャネルがターンオフされ得る。
【００４１】
図４は、本発明にかかるＬＥＤ駆動装置の動作特性を示す。
【００４２】
図４を参照すれば、ＬＥＤチャネルＬＥＤ１〜ＬＥＤｎに供給される整流された電圧ＶＡＣが放物線状に増加または減少する場合、直列に接続された複数のＬＥＤチャネルＬＥＤ１〜ＬＥＤｎに降下する電圧ＶＬＥＤ２も、整流された電圧ＶＡＣの電圧準位が変化するにつれて増加または減少する。同様に、直列に接続された複数のＬＥＤチャネルＬＥＤ１〜ＬＥＤｎに流れる電流ＩＬＥＤ２の大きさも、整流された電圧ＶＡＣの電圧準位が変化するにつれて増加または減少する。
【００４３】
これは、本発明の実施形態にかかる複数の電流源Ｉ１〜Ｉｎの電流駆動能力が電源部３１０から遠くなるほど増加するようにしたことに起因するものである。反面、図１に示された従来のＬＥＤ駆動装置１００は、一定の電流レベルの電流源を用いるため、整流された電圧の大きさの変化に関係なく電流駆動能力が一定に維持される。したがって、本発明の一実施形態にかかるＬＥＤ駆動装置３００は、インダクタおよびキャパシタを用いることなく、力率が向上する従来のＬＥＤ駆動装置１００の効果のほか、整流された電圧の大きさの変化に対応して電流駆動能力がともに変化することによる追加的な力率（Ｐｏｗｅｒ  ｆａｃｔｏｒ）の向上があることが分かる。
【００４４】
ここで、１Ｖｏｆｆは、第１電流源Ｉ１が動作を停止する瞬間の第２ＬＥＤチャネルＬＥＤ２の出力端子の電圧を意味し、２Ｖｏｆｆは、第２電流源Ｉ２が動作を停止する瞬間の第３ＬＥＤチャネルＬＥＤ３の出力端子の電圧を意味する。図２に示された例と比較できるように、図４の場合にも、合わせて５個のＬＥＤチャネルが直列に接続されている場合に対する動作特性を示した。
【００４５】
また、本発明の一実施形態にかかるＬＥＤ駆動装置は、従来の、電圧検出器に予め設定されたＬＥＤのターンオン電圧によって動作するＬＥＤ駆動装置とは異なり、電流源をオフにするＬＥＤチャネルの出力電圧を直接検出して動作するため、ＬＥＤチャネルのターンオン電圧の偏差およびＬＥＤチャネルの個数に影響を受けずに動作可能である。
【００４６】
ＬＥＤ駆動装置３００の動作に関する説明より、本発明で解決しようとする技術的課題のうち、ＬＥＤ駆動方法について類推できるが、以下でさらに説明する。
【００４７】
本発明の一実施形態にかかるＬＥＤ駆動方法は、電流源初期化ステップと、力率向上ステップと、電流源選択ステップとを含む。
【００４８】
電流源初期化ステップでは、ＬＥＤチャネルＬＥＤ１〜ＬＥＤｎの出力端子と接地ＧＮＤとの間にそれぞれ接続された電流源Ｉ１〜Ｉｎが、すべて電流が流れ得る状態で動作するようにする。力率向上ステップでは、ＬＥＤチャネルＬＥＤ１〜ＬＥＤｎの出力端子と接地ＧＮＤとの間にそれぞれ接続された電流源Ｉ１〜Ｉｎそれぞれに流れる電流量は、電源部３１０から遠く離れるほど相対的に増加するようにする。電流源選択ステップでは、直列に接続されたＬＥＤチャネルＬＥＤ１〜ＬＥＤｎのうち、任意の先行ＬＥＤチャネルの出力端子に接続された後続のＬＥＤチャネルがターンオンされる場合、先行ＬＥＤチャネルの出力端子および後続のＬＥＤチャネルの入力端子に共通に接続された電流源の動作を停止させる。
【００４９】
本発明の他の実施形態にかかるＬＥＤ駆動方法は、基準電圧ＶＲＥＦを設定する基準電圧設定ステップをさらに含むことができる。この場合、電流源選択ステップでは、先行ＬＥＤチャネルの出力端子の電圧準位と基準電圧ＶＲＥＦとを比較し、後続のＬＥＤチャネルのターンオンの有無を判断する。
【００５０】
以上では、本発明に対する技術思想を添付図面とともに述べたが、これは、本発明の好ましい実施形態を例示的に説明したものであって、本発明を限定するものではない。また、本発明の属する技術分野における通常の知識を有する者であれば誰でも本発明の技術的思想の範疇を逸脱しない範囲内で多様な変形および模倣可能であることは自明である。
【符号の説明】
【００５１】
１０：電流スイッチング回路、
２０：電圧検出器、
３０：整流回路、
３１０：電源部、
３１１：電源、
３１２：整流回路、
３２０：ＬＥＤアレイ、
３３０：電流経路選択回路。
【図１】
2013098560.tif 000003
【図２】
2013098560.tif 000004
【図３】
2013098560.tif 000005
【図４】
2013098560.tif 000006